(57)【要約】      （修正有）【課題】物品が連続して取り出されることを防止しながら、仕切板を容易に製造することができるように改良された収納容器を提供する。【解決手段】容器部１１の頂面部１４と蓋１２との間には、物品が通過する仕切開口２４を有する仕切板１７を設けてある。仕切板には仕切開口を囲繞して上方へ突出する起立部（第１部分）２２を設け、蓋部によって開口を閉じている状態では、起立部と蓋部とが当接することにより蓋部と仕切板との間が密閉される。頂面部には開口を囲繞して上方へ突出する突出部分３５を設ける一方、仕切板には突出部分に当接する第２部分を設け、常時、突出部分と第２部分との当接により容器部と仕切板との間を密閉する。仕切板の仕切開口には狭窄部分３９を設け、狭窄部分によって物品が連続して仕切開口から取り出されるのを防止する。起立部と第２部分と狭窄部分とが、柔軟弾性材料によって一体的に形成してある。【選択図】図８
2019023110.tif 000002
【特許請求の範囲】
【請求項１】
上下方向で対向する頂面部と底面部との間に収納した物品を取り出すための開口が前記頂面部に形成された容器本体と、前記開口を開閉する蓋とを有する前記物品の収納容器であって、
前記容器本体の前記頂面部と前記蓋との間には、前記物品が通過する仕切開口を有する仕切板を設け、
前記仕切板には前記仕切開口を囲繞して上方へ突出する第１部分を設け、前記蓋によって前記開口を閉じている状態では、前記第１部分と前記蓋との当接により前記蓋と前記仕切板との間を密閉し、
前記頂面部には前記開口を囲繞して上方へ突出する突出部分を設ける一方、前記仕切板には前記突出部分に当接する第２部分を設け、常時、前記突出部分と前記第２部分との当接により前記容器本体と前記仕切板との間を密閉し、
前記仕切板の前記仕切開口には狭窄部分を設け、前記狭窄部分によって前記物品が連続して前記開口から取り出されるのを防止し、
前記第１部分と前記第２部分と前記狭窄部分とが、柔軟弾性材料によって一体的に形成してあり、
前記上下方向へ延びる第１周縁部と、前記第１周縁部の下端から横方向へ延びる第２周縁部とがＬ字状を成し、前記第１周縁部および前記第２周縁部が、前記第１部分の基端部に前記横方向の内側から当接し、
前記上下方向へ延びる第３周縁部と、前記第３周縁部の上端から前記横方向へ延びる第４周縁部とがＬ字状を成し、前記第３周縁部および前記第４周縁部が、前記第１部分の基端部に、前記横方向の外側から当接することを特徴とする前記収納容器。
【請求項２】
前記蓋には、下方へ突出して前記第１部分の頂部に当接する当接部分を設け、前記蓋によって前記開口を閉じた状態では、前記第１部分と前記当接部分との当接により前記蓋と前記仕切板との間を密閉する請求項１に記載の収納容器。
【請求項３】
前記蓋の前記当接部分が、前記第１部分の上方に位置する請求項２に記載の収納容器。
【請求項４】
前記第１部分の剛性よりも前記当接部分の剛性が大きく、
前記第２部分の剛性よりも前記突出部分の剛性が大きい請求項２または３に記載の収納容器。
【請求項５】
前記仕切板は、前記第１部分、前記第２部分、及び前記狭窄部分の剛性よりも、剛性が大きい仕切板本体部を有する請求項１〜４のいずれかに記載の収納容器。
【請求項６】
前記容器本体と前記仕切板との間には、前記突出部分に前記第２部分を押圧した状態で前記容器本体に前記仕切板を取り付ける取付部を設けてある請求項１〜５のいずれかに記載の収納容器。
【請求項７】
前記第１部分と前記第２部分とが前記上下方向で連続し、
前記第２部分の下方に前記突出部分が位置する請求項１〜６のいずれかに記載の収納容器。
【請求項８】
前記第１部分の前記頂部は、前記仕切開口の外側から内側へ向けて傾斜する部分を有する請求項２に記載の収納容器。
【請求項９】
前記収納容器は、前記上下方向に対してそれぞれ交差する横方向と前後方向とを有し、
前記前後方向及び前記横方向を含む平面において、前記第１部分の内径よりも前記当接部分の内径が大きい請求項８に記載の収納容器。
【発明の詳細な説明】
【技術分野】
【０００１】
本発明は、ウエットティッシュ等の物品を収納する収納容器に関する。
【背景技術】
【０００２】
積層状態にあるウエットティッシュを収納する収納容器は公知である。例えば、特許文献１に開示されている収納容器は、容器本体と蓋とパッキンとを有している。パッキンの頂部は、蓋に設けた下方へ突出する突出部分に当接し、頂部と突出部分との当接により蓋とパッキンとの間を密閉している。パッキンは、その下部に環状のシール部を有し、そのシール部と、容器本体の上端部との当接により容器本体とパッキンとの間を密閉している。
【先行技術文献】
【特許文献】
【０００３】
【特許文献１】特開２００７−２６１６７０号公報
【発明の概要】
【発明が解決しようとする課題】
【０００４】
しかしながら、特許文献１には、パッキンの取出口の一部を覆い、ウエットティッシュが連続して取出口から取り出されるのを防止する狭窄部分は開示されていない。
【０００５】
本発明が課題とするところは、物品が連続して取り出されることを防止しながら、仕切板を容易に製造することができるように改良された収納容器の提供である。
【課題を解決するための手段】
【０００６】
前記課題を解決するための本発明が対象とするのは、上下方向で対向する頂面部と底面部との間に収納した物品を取り出すための開口が前記頂面部に形成された容器本体と、前記開口を開閉する蓋とを有する前記物品の収納容器を前提とする。
【０００７】
本発明の特徴は、前記容器本体の前記頂面部と前記蓋との間には、前記物品が通過する仕切開口を有する仕切板を設け、前記仕切板には前記仕切開口を囲繞して上方へ突出する第１部分を設け、前記蓋によって前記開口を閉じた状態では、前記第１部分と前記蓋との当接により前記蓋と前記仕切板との間を密閉し、前記頂面部には前記開口を囲繞して上方へ突出する突出部分を設ける一方、前記仕切板には前記突出部分に当接する第２部分を設け、常時、前記突出部分と前記第２部分との当接により前記容器本体と前記仕切板との間を密閉し、前記仕切板の前記仕切開口には狭窄部分を設け、前記狭窄部分によって前記物品が連続して前記開口から取り出されるのを防止し、前記第１部分と前記第２部分と前記狭窄部分とが、柔軟弾性材料によって一体的に形成してあることであり、前記上下方向へ延びる第１周縁部と、前記第１周縁部の下端から横方向へ延びる第２周縁部とがＬ字状を成し、前記第１周縁部および前記第２周縁部が、前記第１部分の基端部に前記横方向の内側から当接し、前記上下方向へ延びる第３周縁部と、前記第３周縁部の上端から前記横方向へ延びる第４周縁部とがＬ字状を成し、前記第３周縁部および前記第４周縁部が、前記第１部分の基端部に、前記横方向の外側から当接することである。
【０００８】
本発明に係る収納容器によれば、仕切板の仕切開口には狭窄部分を設けてあるため、物品が連続して取り出されることを防止することができる。しかも、第１部分と第２部分と狭窄部分とが、柔軟弾性材料によって一体的に形成してあるため、仕切板を容易に製造することができる。
【図面の簡単な説明】
【０００９】
図面は、本発明の特定の実施の形態を示し、発明の不可欠な構成ばかりでなく、選択的及び好ましい実施の形態を含む。
【図１】本発明に係る収納容器の斜視図。
【図２】図１のＩＩ−ＩＩ線断面図。
【図３】下方部材の斜視図。
【図４】仕切板を上方から視た斜視図。
【図５】仕切板を下方から視た斜視図。
【図６】（ａ）容器部に仕切板を取り付ける前の状態を示す断面図、（ｂ）容器部に仕切板を取り付けた後の状態を示す断面図。
【図７】仕切板の周縁部を示す断面図。
【図８】図１のＶＩＩＩ−ＶＩＩＩ線矢視図。
【図９】ラッチとラッチ受け部との一連の動きを示す図８のＩＸ−ＩＸ線矢視図。
【図１０】実施態様の一例を示す図８と同様な図。
【図１１】（ａ）実施態様の一例を示す図８と同様な図、（ｂ）その一部の斜視図。
【図１２】実施態様の一例を示す図９の（ｅ）と同様な図。
【発明を実施するための形態】
【００１０】
本発明に係る収納容器として、ウエットティッシュの収納容器を例にとり、添付の図面を参照して、本発明の詳細を実施形態に基づいて説明すると、以下のとおりである。また、以下の実施形態は、本発明の欠くことのできない要件を含む他に、選択的に採用することのできる要件及び適宜に組み合わせることのできる要件を含んでいる。
【００１１】
図１において斜視図で示された収納容器１０は、後記するウエットティッシュ９を収納するのに好適なもので、容器部（容器本体）１１と蓋部（蓋）１２とを有する。容器部１１では、着脱可能な底蓋１３を外すことによって、ウエットティッシュ９の後記する包装体８を収納することができる。図１における双頭矢印Ａ，Ｂ，Ｃは、収納容器１０の上下方向、横方向、前後方向を示している。
【００１２】
図２は、図１のＩＩ−ＩＩ線断面図であって、ＩＩ−ＩＩ線は、収納容器１０の底蓋１３における前後方向Ｃの寸法を二等分する位置にある。容器部１１は、上下方向Ａで対向する頂面部１４と底面部１６とを有し、頂面部１４と底面部１６との間に仮想線で示すウエットティッシュ９と、複数のウエットティッシュ９を有する包装体８とが収納されている。ウエットティッシュ９は、図示省略するが、矩形状であって折曲線を有し、該折曲線によって二つ折りにされ、横方向Ｂ及び前後方向Ｃの一方において折曲線が互い違いとなるように積層されているものである。該ウエットティッシュ９が仕切開口２４を通過するときに狭窄部分３９に接触することによって、次のウエットティッシュ９が取り出されるのが防止される。なお、図示省略するが、ウエットティッシュは、一方向へ延びる長尺状であって、所定の長さ毎にミシン目を有する繊維不織布のウェブであって、該ミシン目で折曲されているものでもよく、この場合、ウェブの一部が仕切開口２４を通過するとき、狭窄部分３９に接触することによって、ウェブからウエットティッシュ９が分離され、次のウエットティッシュ９が取り出されるのが防止される。頂面部１４には、横方向Ｂの中央部分に下方へ向けて凹む凹部１５とウエットティッシュ９を取り出すための円形の開口２５を形成してある。凹部１５には、仕切板１７と下方部分１９とを配置してある。下方部分１９は、頂面部１４に連続し、頂面部１４、側壁部分３４等と同時に射出成形することのできる部分であって、硬質の材料、例えばポリプロピレンやポリエチレン等の熱可塑性合成樹脂によって形成されている。開口２５は、適宜の形状にすることができ、図示例では円形が採用されている。
【００１３】
図３は、下方部分１９を示す斜視図であって、説明の便宜ため仕切板１７を取り外してある。下方部分１９には、開口２５を囲繞して上方へ突出する突出部分３５と、開口２５に対して突出部分３５の外側に位置し、上方へ突出する係合爪５５とを設けてある。突出部分３５は、開口２５の周囲に沿って連続するように環状に形成してある。係合爪５５は、下方部分１９の前方側と後方側とに２個所ずつ配置されている。各係合爪５５は、第１分割部分５６と第２分割部分５７とを有し、第１分割部分５６と第２分割部分５７との間には間隙５８を形成してあり、第１分割部分５６と第２分割部分５７とは、互いに近接及び離隔が可能なように係合爪５５は弾性変形可能な熱可塑性合成樹脂によって形成してある。各分割部分５６，５７は、上方側に位置する爪本体５６ａ，５７ａと、下方側に位置する爪凹部５６ｂ，５７ｂとを有する（図６参照）。
【００１４】
図４は、仕切板１７を上方側から視た斜視図であり、図５は、仕切板１７を下方側から視た斜視図である。仕切板１７には、ウエットティッシュ９が通過する仕切開口２４が形成された仕切板本体部２０と、仕切板本体部２０の上方に位置し、仕切開口２４を囲繞して上方へ突出する起立部（第１部分）２２と、仕切板本体部２０の下方に位置する第２部分２３と、仕切開口２４を狭窄する狭窄部分３９とが形成されている。起立部２２及び第２部分２３はパッキンである。起立部２２、第２部分２３、及び狭窄部分３９は、シリコーンゴムや熱可塑性のエラストマー等の柔軟弾性材料で形成されていて容易に弾性変形し、仕切板本体部２０及び下方部分１９よりも剛性が小さい。起立部２２と第２部分２３と狭窄部分３９とが柔軟弾性材料で一体的に形成してあるため、仕切板１７を容易に製造することができる。起立部２２及び第２部分２３は、仕切開口２４の周囲に沿って連続するように環状であり、上下方向Ａにおいて連続するように形成してある（図２及び図８を合わせて参照）。起立部２２の頂部３２は、仕切開口２４の外側から内側へ向かって上り勾配となるように傾斜する傾斜部分３２ａを有している（図６を合わせて参照）。仕切開口２４は、適宜の形状にすることができ、図示例では横方向Ｂの寸法が、前後方向Ｃの寸法よりも長い長円形が採用されている。狭窄部分３９は、第２部分２３の前方部分から後方側へ延びるように形成してある。仕切板本体部２０は、下方部分１９とは別体のものであるが、下方部分１９と同様な硬質の材料、例えば硬質の熱可塑性合成樹脂を使用して形成することができ、起立部２２、第２部分２３、及び狭窄部分３９の剛性よりも剛性が大きいため、仕切板１７の変形を抑えることができる。また、仕切板本体部２０と、起立部２２、第２部分２３と、狭窄部分３９とは、射出成形の技術の一つである二色成形の技術を使用して成形することができる。仕切板本体部２０は、係合孔６０を有している。係合孔６０は、仕切開口２４に対して、起立部２２の外側に４つ配置してある。各係合孔６０は、上方側に位置する円形の大径部６０ａと、下方側に位置する円形の小径部６０ｂとを有している（図６参照）。
【００１５】
図６（ａ）は、係合爪５５と係合孔６０とによって構成された取付部５９によって、容器部１１に仕切板１７を取り付ける前の状態を示す断面図である。先ず、横方向Ｂおよび前後方向Ｃにおいて、４つの係合孔６０の位置と４つの係合爪５５の位置とがそれぞれ合致するように、下方部分１９の上方に仕切板１７を配置する。係合孔６０の小径部６０ｂの径方向の寸法ｆ１は、係合爪５５の先端部における分割部分５６，５７の外周面の径方向の寸法ｄ１よりも大きいため、仕切板１７を下方へ移動すれば、係合爪５５の先端部が係合孔６０の小径部６０ｂに挿入される。
【００１６】
係合孔６０の小径部６０ｂの径方向の寸法ｆ１が、係合爪５５の爪本体５６ａ，５７ａの最外周面の径方向の寸法ｄ２よりも小さいため、仕切板１７の下方への移動により、係合孔６０の小径部６０ｂの内周面と、係合爪５５の爪本体５６ａ，５７ａの外周面とが当接する。さらに仕切板１７を下方へ移動させると、小径部６０ｂの周縁が、爪本体５６ａ，５７ａの外周面を押圧するため、第１分割部分５６と第２分割部分５７とが互いに近接する。その後、さらに仕切板１７を下方へ移動させると、第２部分２３が突出部分３５に当接する。第２部分２３の剛性よりも突出部分３５の剛性が大きいため、さらに仕切板１７を下方へ移動させると、突出部分３５に第２部分２３が押圧され、突出部分３５は変形しないが第２部分２３が変形する。
【００１７】
その後、さらに仕切板１７が下方へ移動すると、図６（ｂ）に示すように、係合孔６０の小径部６０ｂが爪凹部５６ｂ，５７ｂに当接するとともに、爪本体５６ａ，５７ａの外周面が、係合孔６０の大径部６０ａに当接し、取付部５９によって容器部１１に仕切板１７が取り付けられるとともに、容器部１１から仕切板１７が外れることを防止することができる。しかも、取付部５９は、突出部分３５に第２部分２３を押圧した状態で容器部１１に仕切板１７を取り付けるため、容器部１１と仕切板１７との間を密閉することができる。また、図５及び図６に示すように、仕切板１７には、第２部分２３と係合孔６０との間にリブ４５を形成してあるため、係合孔６０の周縁部に大きな力が加わっても係合孔６０の周縁部が変形するのを抑えることができる。
【００１８】
図７は、仕切板本体部２０の周縁の部分拡大断面図である。仕切板本体部２０は、起立部２２の基端部２６に横方向Ｂから当接する周縁部２７を有する。より具体的に説明すると、周縁部２７は、起立部２２の内側では、上下方向Ａへ延びる第１周縁部２７ａと、第１周縁部２７ａの下端から横方向Ｂへ延びる第２周縁部２７ｂとが基端部２６に当接するとともに、起立部２２の外側では、上下方向Ａへ延びる第３周縁部２７ｃと、第３周縁部２７ｃの上端から横方向Ｂへ延びる第４周縁部２７ｄとが基端部２６に当接する。これらの第１周縁部２７ａ〜第４周縁部２７ｄは、起立部２２及び基端部２６に隣接し、仕切開口２４の周縁に沿って連続して形成してある。基端部２６の内側に位置するＬ字状の第１周縁部２７ａ及び第２周縁部２７ｂと、基端部２６の外側に位置するＬ字状の第３周縁部２７ｃ及び第４周縁部２７ｄとによって起立部２２が支えられるため、蓋部１２の開閉を繰り返すことによって、起立部２２の頂部３２に、蓋部１２の垂下部３０が当接及び離隔しても、基端部２６及び起立部２２の横方向Ｂの位置及び前後方向Ｃの位置がずれることを防止することができる。
【００１９】
周縁部２７は、起立部２２の両側に位置するものが起立部２２を貫通する連結部２７ｅを介してつながっている。連結部２７ｅは、二色成形を実施する際に、起立部２２の両側に周縁部２７を形成するための成形材料の流路として利用された部分であるが、容器部１１において、連結部２７ｅは、起立部２２及び第２部分２３の内側に位置する仕切板本体部２０と、起立部２２及び第２部分２３の外側に位置する仕切板本体部２０とを分離することがないように一体化することに寄与している。連結部２７ｅは、起立部２２の周方向に間隔をあけて複数設けることができる（図８参照）。
【００２０】
図８は、図１のＶＩＩＩ−ＶＩＩＩ線断面図であって、ＶＩＩＩ−ＶＩＩＩ線は、収納容器１０の底蓋１３における横方向Ｃの寸法を二等分する位置にある。蓋部１２は、容器部１１における仕切板本体部２０や下方部分１９と同様な硬質の材料、例えば硬質の熱可塑性合成樹脂によって形成されている。このため、蓋部１２の剛性は、起立部２２、第２部分２３、及び狭窄部分３９の剛性よりも大きい。このような蓋部１２は、凹部１５の内側に開閉可能に嵌合している。蓋部１２は、収納容器１０の外面の一部分を形成する外面部２８と、凹部１５と向かい合う内面部２９とを有する。内面部２９には、凹部１５に向かって直状に延び、起立部２２における傾斜した頂部３２の傾斜部分３２ａに当接する垂下部（当接部分）３０が形成されている。垂下部３０は、頂部３２を囲繞するように環状に形成されている。このように互いに当接している起立部２２と垂下部３０とは一体となって、開口２４，２５を囲繞する周壁部７２を形成しているため、蓋部１２と仕切板１７との間を密閉することができる。また、横方向Ｂ及び前後方向Ｃを含む平面において、垂下部３０の内径ｄ３が、起立部２２の頂部３２の内径ｄ４よりも大きいため、起立部２２の頂部３２は、垂下部３０が当接すると、径方向の内側に向かって容易に弾性変形し、その弾性変形に伴って、起立部２２は上下方向Ａの高さが僅かに低くなることがある。しかも、起立部２２の下方に位置する基端部２６の内側には、Ｌ字状の第１周縁部２７ａ及び第２周縁部２７ｂが位置することによって起立部２２が支えられるため、蓋部１２の開閉を繰り返しても、基端部２６及び起立部２２の横方向Ｂ及び前後方向Ｃの位置がずれることを防止することができる。さらに、周壁部７２の内側では、蓋部１２の内面部２９が開口２４，２５と対向する天井部７３を形成している。これら周壁部７２と天井部７３とによって、開口２４，２５の上方には気密性のある空間７４が形成されている。また、起立部２２と第２部分２３とが上下方向Ａで連続しているため、蓋部１２で開口２５を閉じた状態では、蓋部１２の垂下部３０が起立部２２を押圧し、その押圧力によって、第２部分２３が突出部分３５を押圧する。このため、蓋部１２と仕切板１７との間、及び仕切板１７と容器部１１との間を確実に密閉することができる。よって、ウエットティッシュ９に含まれる液体が蒸発することを防止することができる。なお、本発明において「硬質の材料」というときには、収納容器１０において、収納容器１０のいずれかの部分を形成している柔軟弾性材料に当接したときに、「変形することのない部分」若しくは「柔軟弾性材料の変形量に比して、わずかに変形する部分」を形成している材料であることを意味している。また、「ある部分が柔軟弾性材料で形成されている」とは、その部分に硬質の材料で形成されている部分が当接したときに弾性的に容易に変形する材料で形成されていることを意味している。
【００２１】
なお、容器部１１における内面の適宜の部位には、収納している包装体８の揺動を防ぐために、リブ３３が形成されている。
【００２２】
図８において、上方に向かって旋回した状態にある蓋部１２が仮想線で示されている。図８の右方において、蓋部１２は、それに形成された軸部３６が凹部１５に形成された軸受部３７に回動可能に挿入されていて、双頭矢印Ｅで示すように上下方向へ往復旋回運動して、ウエットティッシュ９を取り出すための開口２４，２５を開閉することができる。軸部３６と軸受部３７とは、収納容器１０のヒンジ部３８を形成している。軸部３６の近傍では、凹部１５における下方部分１９と蓋部１２との間に、ばね部材４０が蓄勢状態で介在していて、蓋部１２を開く方向へばね付勢している。図示例のばね部材４０は、合成ゴムや天然ゴムで形成された弾性帯片であって、この弾性帯片を適宜回数だけ折り重ねるとともに、弾性帯片の長さ方向における一方の端部４１を凹部１５における下方部分１９に対して固定し、もう一方の端部４２を蓋部１２に対して固定することによって、ばね部材４０が蓄勢状態にある。一方の端部４１は、下方部分１９と仕切板本体部２０とによる挟持によって固定してあり、もう一方の端部４２は、おさえ部材４３を使用して、蓋部１２の内面部２９に形成された突起４４に対して固定してある。ばね部材４０は、図示例のものに代えて、コイルスプリング等の慣用のばね材料を使うことができる。
【００２３】
図８の左方において、閉じた状態にある蓋部１２の内面部２９からは、ラッチ４６が下方に向かって延びている。ラッチ４６の先端部には係合用の突起部４７が後記するラッチ受け部材５１に向かって延びている。容器部１１の前方部分４８（図１を併せて参照）には、凹部１５につながる第２凹部４９が形成されていて、ラッチ受け部材５１が収納されるとともに、閉じた状態にあるときの蓋部１２におけるラッチ４６が進入している。蓋部１２が閉じた状態にあるときに、第２凹部４９は蓋部１２によって覆われていて、収納容器１０の外側にあらわれることがなく、すなわち収納容器１０の外からは見えることがなく、収納容器１０の外観に影響を与えることがない。ラッチ４６を係合させるための受け部として作用するラッチ受け部材５１は、仕切板本体部２０の前方への延出部５２が上方から当接していることによって、第２凹部４９から上方へ抜け出ることがない。また、ラッチ受け部材５１は、上端部と下端部とに形成された小突起５３が第２凹部４９と仕切板本体部２０の延出部５２とに形成された隆起部５４ａ，５４ｂに前後方向Ｃから当接し得る状態にあることによって、前後方向Ｃにおいて揺動することがない。図８においてもまた、仕切板１７には、連結部２７ｅが形成されている。
【００２４】
図９は、図８におけるＩＸ−ＩＸ線矢視図であって、第２凹部４９に収納されているラッチ受け部材５１の前面部５１ａを示している。ただし、図示の前面部５１ａは、そこに多数のドットを記入することによって、前面部５１ａとその他の部分との識別が容易となるようにしてある。図９における（ａ）−（ｆ）は、ラッチ４６の下端部分に形成されている突起部４７がラッチ受け部材５１に進入してから退出するまでの過程を示している。この過程を有する収納容器１０は、いわゆるプッシュロック／プッシュオープンのロック機構を有する容器の一種である。
【００２５】
図９の（ａ）では、第２凹部４９において、ラッチ受け部材５１が横方向Ｂの両側にスライド運動できるように、ラッチ受け部材５１と第２凹部４９の両側部との間にクリアランス６１が形成されている。ラッチ受け部材５１は、小突起５３が第２凹部４９と仕切板本体部２０の延出部５２とに形成された隆起部５４ａ，５４ｂを横方向Ｂにおいて摺動することによって、横方向Ｂへの直線的なスライド運動が可能である。ラッチ受け部材５１は、その前面部５１ａに溝部６２が形成されている。溝部６２は、蓋部１２を閉じるときに溝部６２の出入口６２ａから進入したラッチ４６の突起部４７を下方に向かって案内することのできる進入路６３と、その突起部４７を下方から上方に向かって案内し、出入口６２ａから退出させることのできる退出路６４と、進入路６３と退出路６４との間にあって、これら進入路６３及び退出路６４の最下端部６５，６６につながる係合部６７とを有する。係合部６７は、最下端部６５，６６のそれぞれから所要寸法だけ上方に位置していて、ばね部材４０（図８参照）の作用によって蓋部１２とともに図の上方へ付勢されているラッチ４６の突起部４７を下方から上方に向かって圧接する態様で係合させ、静止させることができる。
【００２６】
図９の（ｂ）において、ラッチ４６は、ばね部材４０の付勢に抗しつつ、容器部１１における起立部２２を蓋部１２の垂下部３０によって押圧して起立部２２を弾性的に変形させながら下方に向かって進む。ただし、進入路６３は図示の如く曲線を画いていることによって、突起部４７は進入路６３の側壁部分を押圧し、ラッチ受け部材５１を図の左方へスライドさせる。
【００２７】
図９の（ｃ）において、突起部４７が進入路６３の最下端部６５に到達すると、蓋部１２を閉じようとするウエットティッシュ使用者に対して、ラッチ４６の行き止まり感、すなわち蓋部１２が完全に閉じたという感じを与えることができる。最下端部６５に位置する突起部４７は、進入路６３の最下端部６５の手前に形成されていて、突起部４７の上方への動きを阻止する段差部６８ａを通過していることによって、進入路６３を逆行して上昇するということがない。
【００２８】
さらに図９の（ｃ）において、閉じた蓋部１２から手を離すと、ばね部材４０の付勢下にあり、かつ、起立部２２の弾性復元力が作用している蓋部１２は、開く方向へ、すなわち上方に向かって旋回する。すると、突起部４７は、逆行を防止するもう一つの段差部６８ｂを通過し、上方に向かって凸となるように湾曲して係合部６７に向かうように上昇し、図９の（ｄ）の状態となって、係合部６７に下方から圧接することにより係合して静止する。突起部４７が静止しているときに、蓋部１２は、ばね部材４０の付勢に抗して閉じた状態にある。また、蓋部１２の垂下部３０が容器部１１における起立部２２の頂部３２に圧接していることによって、起立部２２は弾性変形しているから、蓋部１２は起立部２２の弾性的な復元力に抗して閉じた状態にある。
【００２９】
突起部４７が図９の（ｄ）の状態にあるときに、蓋部１２の外面部２８をラッチ４６の直上に相当する蓋前方部分７０（図１，８参照）において押圧すると、突起部４７は、逆行を防止する次の段差部６８ｃを通過する方向へ案内されて係合部６７から退出路６４の最下端部６６へと向かう。図９の（ｅ）に示すように、突起部４７が退出路６４における最下端部６６に位置する状態になると、蓋部１２の下降が止まり、ウエットティッシュ使用者にラッチ４６の行き止まり感を与えることができる。
【００３０】
図９の（ｆ）は、突起部４７が退出路６４に案内されて最下端部６６から上昇し、溝部６２の出入口６２ａから外へ出ようとする状態にある。図９の（ｅ）において、蓋部１２から手を離すと、ばね部材４０の付勢下にあるとともに、弾性変形している起立部２２の復元力が作用している蓋部１２は、開口２４，２５を開くように、上方に向かって自動的に旋回し始める。蓋部１２の旋回に伴って、突起部４７はばね部材４０の付勢と起立部２２の弾性復元力とによって上昇する速度を制御された状態で退出路６４に案内されて出入口６２ａに達する。
【００３１】
このように形成されている収納容器１０では、蓋部１２が閉じている状態では、環状の垂下部３０は、容器部１１の頂面部１４に位置する環状の起立部２２に圧接して、起立部２２の頂部３２を径方向の内側に向かって弾性変形させている。換言すると、図２では垂下部３０が、起立部２２の頂部３２の内径ｄ４が小さくなるように、起立部２２の頂部３２を横方向Ｂへ変形させ、図８では起立部２２の頂部３２を前後方向Ｃへ変形させている。垂下部３０は、起立部２２をこのように変形させることに伴って、起立部２２を上下方向Ａの寸法が小さくなるように弾性変形させることもある。また、蓋部１２を開くときの垂下部３０は、ラッチ４６の突起部４７が係合部６７から退出路６４の最下端部６６にまで下降するときの上下方向Ａの寸法に対応する寸法だけ、垂下部３０に当接してすでに弾性変形している起立部２２をさらに弾性変形させる。すなわち、起立部２２と垂下部３０とで作る周壁部７２は、突起部４７が係合部６７にある時でも、両最下端部６５，６６のそれぞれにあるときでも、弾性変形した状態にある。それゆえ、収納容器１０では、起立部２２を柔軟弾性材料によって形成して、上下方向Ａにおける周壁部７２の弾性的変形量が十分に大きくなり得るようにすることが好ましい。具体的には、周壁部７２において、起立部２２が持つ弾性的に変形可能な量、すなわち弾性的に変形可能な寸法は、蓋部１２が閉じているときに空間７４を気密状態に保つめに必要な上下方向Ａにおける弾性的変形量と、蓋部１２を開くときに、ラッチ４６の突起部４７が係合部６７から退出路６４の最下端部６６にまで移動するときに必要な上下方向Ａにおける弾性的変形量との和よりも大きくなるように起立部２２を作ることが好ましい。
【００３２】
図示例の容器部１１において、仕切板本体部２０と下方部分１９とは、相互の機械的な嵌合や適宜形状のファスナーの使用、溶着や超音波接合等の接合手段の使用等によって一体化することができる他に、ホットメルト接着剤等の接着剤を使用して一体化することもできる。また、起立部２２の基端部２６に仕切板本体部２０の周縁部２７を横方向Ｂから当接させることで、起立部２２は、基端部２６が周縁部２７に固定される一方、頂部３２のみが弾性変形して垂下部３０との圧接力が高まるようになる。周縁部２７における連結部２７ｅの存在によって、周縁部２７による基端部２６の固定が一層確実になる。
【００３３】
本発明はまた、起立部２２と垂下部３０との両者を柔軟弾性材料で形成する態様で実施することもできる。ただし、その場合でも、起立部２２と垂下部３０との間では、材料の柔軟性に差をもたせておくことが好ましい。
【００３４】
本発明ではさらに、起立部２２の頂部３２が、図示例とは異なり、起立部２２の外側から内側に向かって下り勾配となる態様で実施することもできる。この態様における垂下部３０は、起立部２２の内面に圧接させて、起立部２２を径方向の外側へ、図２の場合でいえば横方向Ｂにおける外側に向かって変形させる。
【００３５】
図１０は、本発明の実施態様の一例を示す図８と同様な図であるが、収納容器１０はその一部分のみを示してある。その収納容器１０では、蓋部１２として、垂下部３０が形成されておらず、内面部２９が平滑であるものが使用されている。蓋部１２を閉じると、内面部２９に対して容器部１１における起立部２２の頂部３２が圧接して、周壁部７２と天井部７３と、気密性のある空間７４とが形成される。周壁部７２は、起立部２２と蓋部１２とによって形成されている。
【００３６】
本発明では、起立部２２と垂下部３０とがこれまでに説明した態様のいずれにあっても、蓋部１２が閉じるときに、容器部１１における頂面部１４の一部分と蓋部１２における一部分とが互いに密着するように当接して、開口２４，２５を囲繞する弾性変形可能な周壁部７２を形成するとともに、蓋部１２が周壁部７２の内側に開口２４，２５と対向する天井部７３を形成して、開口２４，２５の上方には気密性のある空間７４が形成される。
【００３７】
図１１もまた、本発明の実施態様の一例を示す図８と同様な図（ａ）と、図（ａ）の部分拡大図（ｂ）とである。ただし、その部分拡大図では、起立部２２及び垂下部３０の一部分が斜視図で示されている。この収納容器１０では、起立部２２の外周面３１に隆起部８１が形成されている。隆起部８１は、開口２４，２５に対する周方向の一部にのみ形成してあり、蓋部１２が閉じているときの垂下部３０における下端部３０ａに隣接した位置にある。蓋部１２を開くために、蓋部１２の蓋前方部分７０（図８参照）を押すと、垂下部３０は矢印Ｆで示すように下降して、起立部２２を変形させながら隆起部８１の上に乗って仮想線の状態になる。この状態では、隆起部８１の両側において、起立部２２と垂下部３０との間に空間７４（図８参照）の内側に通じる隙間８４が生じ、その隙間８４において空間７４の外側から内側に向かって空気（図においてＡｉｒと表記）の流入が可能になる。図９の（ａ）−（ｄ）の過程を経て、容器部１１に対して蓋部１２を閉じるときには、図９の（ａ）−（ｃ）までの過程において形成された空間７４は、蓋部１２が図９の（ｄ）に相当する位置に来ると、内容積が少しだけ大きくなることに伴い、空間７４の外部と比較して陰圧になることがある。そのような状態にあるときの蓋部１２は、本来はばね部材４０（図８参照）による付勢と起立部２２の弾性的復元力との作用下に速やかに開くことができるものであっても、空間７４が陰圧であることがそのような開き方の妨げになることがある。しかし、図示例の隆起部８１を有する収納容器では、蓋部１２が開く直前に、空間７４がその外部に対して開放状態になるので、蓋部１２を速やかかつスムーズに開くことができる。なお、起立部２２の頂部３２が起立部２２の外側から内側に向かって下り勾配となるときには、隆起部８１を外周面３１ではなくて、その反対面である内周面に形成する。このように、起立部２２の外周面３１または内周面のいずれかの表面に隆起部８１を形成することは、蓋部１２の開閉を容易にするように作用する。
【００３８】
図１２もまた、本発明の実施態様の一例を示す図９の（ｅ）と同様な図である。図１２における容器部１１では、第２凹部４９においてラッチ受け部材５１の背後に位置する後部壁８３に空間７４（図８参照）に通じる透孔８２が形成されている。透孔８２は、ラッチ受け部材５１が図示の位置、すなわち図９の（ｅ）における位置にあるときに露出した状態になって、空間７４と空間７４の外側に位置する第２凹部４９とを通気可能につなぐことができる。第２凹部４９は、容器部１１と蓋部１２との間に生じる間隙４９ａを介して収納容器１０の外側と通気可能につながっている。ただし、ラッチ受け部材５１は、図９の（ａ）−（ｄ）および（ｆ）の状態にあるときに、透孔８２を通気不能に覆うことができる。このような透孔８２もまた、蓋部１２が開く直前に、空間７４をその外部に向かって開放し、陰圧であった空間７４を常圧に戻すように作用する。
【００３９】
なお、上記実施形態には、物品としてウエットティッシュの例を説明したが、本発明はそれに限定されず、水やアルコール等の液体を含む不織布を物品として使用してもよい。また、頂面部１４に必ず凹部１５を設ける必要はない。
【００４０】
これまでに説明した本発明は、少なくとも以下のように整理することができる。上下方向で対向する頂面部と底面部との間に収納した物品を取り出すための開口が前記頂面部に形成された容器本体と、前記開口を開閉する蓋とを有する前記物品の収納容器であって、前記容器本体の前記頂面部と前記蓋との間には、前記物品が通過する仕切開口を有する仕切板を設け、前記仕切板には前記仕切開口を囲繞して上方へ突出する第１部分を設け、前記蓋によって前記開口を閉じた状態では、前記第１部分と前記蓋との当接により前記蓋と前記仕切板との間を密閉し、前記頂面部には前記開口を囲繞して上方へ突出する突出部分を設ける一方、前記仕切板には前記突出部分に当接する第２部分を設け、常時、前記突出部分と前記第２部分との当接により前記容器本体と前記仕切板との間を密閉し、前記仕切板の前記仕切開口には狭窄部分を設け、前記狭窄部分によって前記物品が連続して前記開口から取り出されるのを防止し、前記第１部分と前記第２部分と前記狭窄部分とが、柔軟弾性材料によって一体的に形成してあり、前記上下方向へ延びる第１周縁部と、前記第１周縁部の下端から横方向へ延びる第２周縁部とがＬ字状を成し、前記第１周縁部および前記第２周縁部が、前記第１部分の基端部に前記横方向の内側から当接し、前記上下方向へ延びる第３周縁部と、前記第３周縁部の上端から前記横方向へ延びる第４周縁部とがＬ字状を成し、前記第３周縁部および前記第４周縁部が、前記第１部分の基端部に、前記横方向の外側から当接する。
【００４１】
また、本発明には、少なくとも以下の実施態様がある。
（１）前記蓋には、下方へ突出して前記第１部分の頂部に当接する当接部分を設け、前記蓋によって前記開口を閉じた状態では、前記第１部分と前記当接部分との当接により前記蓋と前記仕切板との間を密閉する。
（２）前記蓋の前記当接部分が、前記第１部分の上方に位置する。
（３）前記第１部分の剛性よりも前記当接部分の剛性が大きく、前記第２部分の剛性よりも前記突出部分の剛性が大きい。
（４）前記仕切板は、前記第１部分、前記第２部分、及び前記狭窄部分の剛性よりも、剛性が大きい仕切板本体部を有する。
（５）前記容器本体と前記仕切板との間には、前記突出部分に前記第２部分を押圧した状態で前記容器本体に前記仕切板を取り付ける取付部を設けてある。
（６）前記第１部分と前記第２部分とが前記上下方向で連続し、前記第２部分の下方に前記突出部分が位置する。
（７）前記第１部分の前記頂部は、前記仕切開口の外側から内側へ向けて傾斜する部分を有する。
（８）前記収納容器は、前記上下方向に対してそれぞれ交差する横方向と前後方向とを有し、前記前後方向及び前記横方向を含む平面において、前記第１部分の内径よりも前記当接部分の内径が大きい。
【符号の説明】
【００４２】
９      ウエットティッシュ（物品）
１０    収納容器
１１    容器部（容器本体）
１２    蓋部（蓋）
１４    頂面部
１６    底面部
１７    仕切板
２０    仕切板本体部
２２    起立部（第１部分）
２３    第２部分
２４    仕切開口
２５    開口
３０    垂下部（当接部分）
３２    頂部
３２ａ  傾斜部分
３５    突出部分
３９    狭窄部分
５９    取付部
Ａ      上下方向
Ｂ      横方向
Ｃ      前後方向
ｄ３    垂下部の内径
ｄ４    起立部の頂部の内径
【図１】
2019023110.tif 000003
【図２】
2019023110.tif 000004
【図３】
2019023110.tif 000005
【図４】
2019023110.tif 000006
【図５】
2019023110.tif 000007
【図６】
2019023110.tif 000008
【図７】
2019023110.tif 000009
【図８】
2019023110.tif 000010
【図９】
2019023110.tif 000011
【図１０】
2019023110.tif 000012
【図１１】
2019023110.tif 000013
【図１２】
2019023110.tif 000014
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
上下方向で対向する頂面部と底面部との間に収納した物品を取り出すための開口が前記頂面部に形成された容器本体と、前記開口を開閉する蓋とを有する前記物品の収納容器であって、
前記容器本体の前記頂面部と前記蓋との間には、前記物品が通過する仕切開口を有する仕切板を設け、
前記仕切板には前記仕切開口を囲繞して上方へ突出する第１部分を設け、前記蓋によって前記開口を閉じている状態では、前記第１部分と前記蓋との当接により前記蓋と前記仕切板との間を密閉し、
前記頂面部には前記開口を囲繞して上方へ突出する突出部分を設ける一方、前記仕切板には前記突出部分に当接する第２部分を設け、常時、前記突出部分と前記第２部分との当接により前記容器本体と前記仕切板との間を密閉し、
前記仕切板の前記仕切開口には狭窄部分を設け、前記狭窄部分によって前記物品が連続して前記開口から取り出されるのを防止し、
前記第１部分と前記第２部分と前記狭窄部分とが、柔軟弾性材料によって一体的に形成してあり、
前記第１部分と前記第２部分とが前記上下方向で連続し、前記第２部分の下方に前記突出部分が位置することを特徴とする前記収納容器。
【請求項２】
前記蓋には、下方へ突出して前記第１部分の頂部に当接する当接部分を設け、前記蓋によって前記開口を閉じた状態では、前記第１部分と前記当接部分との当接により前記蓋と前記仕切板との間を密閉する請求項１に記載の収納容器。
【請求項３】
前記蓋の前記当接部分が、前記第１部分の上方に位置する請求項２に記載の収納容器。
【請求項４】
前記第１部分の剛性よりも前記当接部分の剛性が大きく、
前記第２部分の剛性よりも前記突出部分の剛性が大きい請求項２または３に記載の収納容器。
【請求項５】
前記仕切板は、前記第１部分、前記第２部分、及び前記狭窄部分の剛性よりも、剛性が大きい仕切板本体部を有する請求項１〜４のいずれかに記載の収納容器。
【請求項６】
前記容器本体と前記仕切板との間には、前記突出部分に前記第２部分を押圧した状態で前記容器本体に前記仕切板を取り付ける取付部を設けてある請求項１〜５のいずれかに記載の収納容器。
【請求項７】
前記第１部分の前記頂部は、前記仕切開口の外側から内側へ向けて傾斜する部分を有する請求項１〜６のいずれかに記載の収納容器。
【請求項８】
前記収納容器は、前記上下方向に対してそれぞれ交差する横方向と前後方向とを有し、
前記前後方向及び前記横方向を含む平面において、前記第１部分の内径よりも前記当接部分の内径が大きい請求項７に記載の収納容器。
【手続補正２】
【補正対象書類名】明細書
【補正対象項目名】０００７
【補正方法】変更
【補正の内容】
【０００７】
本発明の特徴は、前記容器本体の前記頂面部と前記蓋との間には、前記物品が通過する仕切開口を有する仕切板を設け、前記仕切板には前記仕切開口を囲繞して上方へ突出する第１部分を設け、前記蓋によって前記開口を閉じた状態では、前記第１部分と前記蓋との当接により前記蓋と前記仕切板との間を密閉し、前記頂面部には前記開口を囲繞して上方へ突出する突出部分を設ける一方、前記仕切板には前記突出部分に当接する第２部分を設け、常時、前記突出部分と前記第２部分との当接により前記容器本体と前記仕切板との間を密閉し、前記仕切板の前記仕切開口には狭窄部分を設け、前記狭窄部分によって前記物品が連続して前記開口から取り出されるのを防止し、前記第１部分と前記第２部分と前記狭窄部分とが、柔軟弾性材料によって一体的に形成してあり、前記第１部分と前記第２部分とが前記上下方向で連続し、前記第２部分の下方に前記突出部分が位置することである。
【手続補正３】
【補正対象書類名】明細書
【補正対象項目名】００４０
【補正方法】変更
【補正の内容】
【００４０】
これまでに説明した本発明は、少なくとも以下のように整理することができる。上下方向で対向する頂面部と底面部との間に収納した物品を取り出すための開口が前記頂面部に形成された容器本体と、前記開口を開閉する蓋とを有する前記物品の収納容器であって、前記容器本体の前記頂面部と前記蓋との間には、前記物品が通過する仕切開口を有する仕切板を設け、前記仕切板には前記仕切開口を囲繞して上方へ突出する第１部分を設け、前記蓋によって前記開口を閉じた状態では、前記第１部分と前記蓋との当接により前記蓋と前記仕切板との間を密閉し、前記頂面部には前記開口を囲繞して上方へ突出する突出部分を設ける一方、前記仕切板には前記突出部分に当接する第２部分を設け、常時、前記突出部分と前記第２部分との当接により前記容器本体と前記仕切板との間を密閉し、前記仕切板の前記仕切開口には狭窄部分を設け、前記狭窄部分によって前記物品が連続して前記開口から取り出されるのを防止し、前記第１部分と前記第２部分と前記狭窄部分とが、柔軟弾性材料によって一体的に形成してあり、前記第１部分と前記第２部分とが前記上下方向で連続し、前記第２部分の下方に前記突出部分が位置する。
【手続補正４】
【補正対象書類名】明細書
【補正対象項目名】００４１
【補正方法】変更
【補正の内容】
【００４１】
また、本発明には、少なくとも以下の実施態様がある。
（１）前記蓋には、下方へ突出して前記第１部分の頂部に当接する当接部分を設け、前記蓋によって前記開口を閉じた状態では、前記第１部分と前記当接部分との当接により前記蓋と前記仕切板との間を密閉する。
（２）前記蓋の前記当接部分が、前記第１部分の上方に位置する。
（３）前記第１部分の剛性よりも前記当接部分の剛性が大きく、前記第２部分の剛性よりも前記突出部分の剛性が大きい。
（４）前記仕切板は、前記第１部分、前記第２部分、及び前記狭窄部分の剛性よりも、剛性が大きい仕切板本体部を有する。
（５）前記容器本体と前記仕切板との間には、前記突出部分に前記第２部分を押圧した状態で前記容器本体に前記仕切板を取り付ける取付部を設けてある。
（６）前記第１部分の前記頂部は、前記仕切開口の外側から内側へ向けて傾斜する部分を有する。
（７）前記収納容器は、前記上下方向に対してそれぞれ交差する横方向と前後方向とを有し、前記前後方向及び前記横方向を含む平面において、前記第１部分の内径よりも前記当接部分の内径が大きい。